(57)【要約】  エレベータの操作状況認知システムを公開する。本発明は、建物の内部の複数の階の間を上昇または下降して移動し、エレベータを停止させようと階を選択することができる内部操作盤を備えるエレベータ、建物内部の複数の階それぞれに配置されてエレベータを呼び出し、内部操作盤により選択された階と、他の複数の階のうちでエレベータを呼び出した階とを両方とも表示する複数個の階別操作盤、内部操作盤により選択された階と複数個の階別操作盤のうちでエレベータを呼び出した階別操作盤とを判別して、エレベータの移動方向と移動速度とを調整するシステム制御部、およびシステム制御部の制御によって駆動され、エレベータを移動させる駆動部を備える。したがって、利用者は、エレベータの停止予定階を正確に把握することができるため、不必要にエレベータの搭乗を待たないので、時間の無駄遣いを減らすことができる。さらにエレベータは、利用者が待機する階のみに停止することができるため、移動速度を向上させることができ、消費電力を低減することができる。【選択図】図２
2014532609.tif 000002
【特許請求の範囲】
【請求項１】
建物内部の複数の階の間を上昇または下降して移動し、前記エレベータを停止させようと階を選択することができる内部操作盤を備えたエレベータ；
前記建物内部の複数の階それぞれに配置され、前記エレベータを呼び出し、前記内部操作盤により選択された階と、他の複数の階のうちで前記エレベータを呼び出した階とを両方とも表示する複数個の階別操作盤；
前記内部操作盤により選択された階と、前記複数個の階別操作盤のうちで前記エレベータを呼び出した階別操作盤とを判別し、前記エレベータの移動方向と移動速度とを調整するシステム制御部；および
前記システム制御部の制御により駆動され、前記エレベータを移動させる駆動部
を備えることを特徴とするエレベータの操作状況認知システム。
【請求項２】
前記複数個の階別操作盤はそれぞれ、
前記複数の階のうちで前記内部操作盤で選択された階、および前記複数の階それぞれに配置された前記複数個の階別操作盤で前記エレベータを呼び出した階を表示する停止予定階表示部；
上昇中の前記エレベータを呼び出すための上昇ボタン；
下降中の前記エレベータを呼び出すための下降ボタン；および
複数の階のうちで前記エレベータが現在位置している階を表示する現在階表示部
を備えることを特徴とする請求項１に記載のエレベータの操作状況認知システム。
【請求項３】
前記停止予定階表示部は、
前記複数の階それぞれに対応して複数個備えられ、前記複数の階のうちで前記内部操作盤で選択された階に対応して点灯される複数個の内部ランプ；および
前記複数の階それぞれに対応して複数個備えられ、前記複数の階それぞれに配置された前記複数個の階別操作盤のうちで、前記エレベータを呼び出した階別操作盤が配置された階に対応して点灯される複数個の外部ランプ
を備えることを特徴とする請求項２に記載のエレベータの操作状況認知システム。
【請求項４】
前記複数個の外部ランプは、
前記利用者が移動しようとする目的階を選択できるようにボタンにより具現されることを特徴とする請求項２に記載のエレベータの操作状況認知システム。
【請求項５】
前記複数個の階別操作盤はそれぞれ、
前記の現在階表示部の上部に配置され、前記エレベータの内部に設けられたカメラを介して獲得された映像イメージを表示する内部状況モニタ；および
お知らせ事項や広告を表示するお知らせ/広告モニタ
をさらに備えることを特徴とする請求項２に記載のエレベータの操作状況認知システム。
【請求項６】
前記複数個の階別操作盤はそれぞれ、
前記エレベータの移動方向に応じて前記内部状況モニタと前記お知らせ/広告モニタとが前記映像イメージ、および前記お知らせ事項や広告とを相互に切り替えて表示することを特徴とする請求項５に記載のエレベータの操作状況認知システム。
【請求項７】
前記内部操作盤は、
前記複数の階それぞれに配置された前記複数個の階別操作盤で前記エレベータを呼び出した階を表示し、前記複数の階のうちで前記利用者が移動しようとする目的階を選択可能とする複数個の内部選択ボタンを備える一つの停止予定階表示部；
前記エレベータの移動方向を表示する上昇および下降のランプ；および
複数の階のうちで前記エレベータが現在位置している階を表示する現在階表示部
を備えることを特徴とする請求項２に記載のエレベータの操作状況認知システム。
【請求項８】
前記停止予定階表示部は、
前記複数の階それぞれに対応して複数個備えられ、前記複数の階のうちで前記利用者が移動しようとする目的階を選ぶことができる複数個の内部選択ボタン；および
前記複数の階それぞれに対応して複数個備えられ、前記複数の階それぞれに配置された前記複数個の階別操作盤のうちで、前記エレベータを呼び出した階別操作盤が配置された階に対応して点灯される複数個の外部ランプ
を備えることを特徴とする請求項７に記載のエレベータの操作状況認知システム。
【発明の詳細な説明】
【技術分野】
【０００１】
本発明は、エレベータに関するものであり、特に、建物の各階に配置されたエレベータ階別操作盤とエレベータの内部に配置されたエレベータの内部操作盤それぞれに、エレベータの停止が予定された各階のエレベータの操作状況を認知できるように表示する、エレベータの操作状況認知システムに関するものである。
【背景技術】
【０００２】
エレベータは、複数の階を有する建物において、建物に入場した人々が便利に各階を移動可能とする装置であり、高層ビルでは必要不可欠な装置である。
【０００３】
建物にエレベータが導入されることによって、利用者が容易に建物の各階を移動可能となり、高層ビルの数が増えるにつれて、従来のエレベータよりさらに高速で各階を移動する高速エレベータが導入された。しかし、建物の階数が大きくなるにつれ、エレベータが停止すべき階の数も建物の階数に比例して多くなってきた。エレベータの特性上、各階に停止したエレベータは、必ず１回以上エレベータのドアが開閉される。したがって、エレベータが特定階に停止してドアを開閉した場合、停止せずに移動する場合に比べてかなりの時間を消費することになる。そのため、停止階の数の増加は、エレベータの移動速度を大幅に低下させる要因となっている。
【０００４】
たとえ、高速エレベータが導入されたとはいうものの、高速エレベータもまた搭乗者の安全性と快適さのため、急加速や急制動してはならない。それで、エレベータが隣接する階に連続して停止した場合、高速エレベータであっても、エレベータの移動速度を加速できる距離が提供されないため、一般のエレベータより速い速度で移動するのは難しい。
【発明の概要】
【発明が解決しようとする課題】
【０００５】
本発明の目的は、エレベータを操作するために、建物の各階に配置された複数個の階別操作盤とエレベータの内部に配置された内部操作盤それぞれにエレベータの停止が予定されたすべての階を表示して、建物の各階にいる利用者がエレベータに搭乗するかどうかを迅速に判断できるようにするエレベータシステムを提供することにある。
【課題を解決するための手段】
【０００６】
上記目的を達成するためのエレベータの操作状況認知システムは、建物内部の複数の階の間を上昇または下降して移動し、前記エレベータを停止させようと階を選択することができる内部操作盤を備えるエレベータ、前記建物内部の複数の階それぞれに配置され、前記エレベータを呼び出し、前記内部操作盤により選択された階と、他の複数の階のうちで前記エレベータを呼び出した階とを両方とも表示する複数個の階別操作盤、前記内部操作盤により選択された階と、前記複数個の階別操作盤のうちで前記エレベータを呼び出した階別操作盤とを判別し、前記エレベータの移動方向と移動速度とを調整するシステム制御部、及び前記システム制御部の制御によって駆動され前記エレベータを移動させる駆動部、を備える。
【０００７】
上記目的を達成するための複数個の階別操作盤はそれぞれ、前記複数の階のうちで前記内部操作盤で選択された階と、前記複数の階それぞれに配置された前記複数個の階別操作盤から前記エレベータを呼び出した階とを表示する停止予定階表示部、上昇中の前記エレベータを呼び出すための上昇ボタン、下降中の前記のエレベータを呼び出すための下降ボタン、および複数の階のうちで前記エレベータが現在位置している階を表示する現在階表示部、を備えることを特徴とする。
【０００８】
上記目的を達成するための停止予定階表示部は、前記複数の階それぞれに対応して複数個備えられ、前記複数の階のうちで前記内部操作盤で選択された階に対応して点灯される複数個の内部ランプ、および前記複数の階それぞれに対応して複数個備えられ、前記複数の階それぞれに配置された前記複数個の階別操作盤のうちで、前記エレベータを呼び出した階別操作盤が配置された階に対応して点灯される複数個の外部ランプ、を備えることを特徴とする。
【０００９】
上記目的を達成するための複数個の外部ランプは、前記利用者が移動しようとする目的階を選択できるようにボタンにより具現されることを特徴とする。
【００１０】
上記目的を達成するための複数個の階別操作盤はそれぞれ、前記現在階表示部の上部に配置され、前記エレベータの内部に設けられたカメラを介して獲得された映像イメージを表示する内部状況モニタ、およびお知らせ事項や広告を表示するお知らせ/広告モニタ、をさらに備えることを特徴とする。
【００１１】
上記目的を達成するための複数個の階別操作盤はそれぞれ、前記エレベータの移動方向に応じて前記内部状況モニタと前記お知らせ/広告モニタが、前記映像イメージおよび前記お知らせ事項や広告を相互に切り替えて表示することを特徴とする。
【００１２】
上記目的を達成するための内部操作盤は、前記複数の階それぞれに配置された前記複数個の階別操作盤で前記エレベータを呼び出した階を表示し、前記複数の階のうちで前記利用者が移動しようとする目的階を選択可能とする複数個の内部選択ボタンを備える一つの停止予定階表示部、前記エレベータの移動方向を表示する上昇・下降ランプ、および複数の階のうちで前記エレベータが現在位置している階を表示する現在階表示部、を備えることを特徴とする。
【００１３】
上記目的を達成するための停止予定階表示部は、前記複数の階それぞれに対応して複数個備えられ、前記複数の階のうちで前記利用者が移動しようとする目的階を選ぶことができる複数個の内部選択ボタン、および前記複数の階それぞれに対応して複数個備えられ、前記複数の階それぞれに配置された前記複数個の階別操作盤のうちで、前記エレベータを呼び出した階別操作盤が配置された階に対応して点灯される複数個の外部ランプ、を備えることを特徴とする。
【発明の効果】
【００１４】
したがって、本発明のエレベータの操作状況認知システムは、利用者が建物の各階に配置された階別操作盤を介してエレベータの停止が予定されたすべての階を確認できるため、利用者がエレベータに搭乗するかどうかを迅速に判断できるようにする。それで、利用者がエレベータに搭乗することが不要であると判断する場合は、その階にエレベータを呼び出さないことで、エレベータが不必要な階に停止しないようにするエレベータシステムを提供することにある。それで、エレベータの平均移動速度の向上だけでなく、消費電力を低減することもできる。さらに、利用者が無駄にエレベータを待っている時間を最小化することができる。
【図面の簡単な説明】
【００１５】
【図１】図１は、本発明に係るエレベータの操作状況認知システムの一例を示す。
【図２】図２は、本発明の一例に係る階別操作盤を示す。
【図３】図３は、本発明の一例に係る内部操作盤を示す。
【発明を実施するための形態】
【００１６】
上記目的を達成するためのエレベータの操作状況認知システムは、建物内部の複数の階の間を上昇または下降して移動し、前記エレベータを停止させようと階を選択することができる内部操作盤を備えるエレベータ、前記建物内部の複数の階それぞれに配置され、前記エレベータを呼び出し、前記内部操作盤により選択された階と、他の複数の階のうちで前記エレベータを呼び出した階とを両方とも表示する複数個の階別操作盤、前記内部操作盤により選択された階と、前記複数個の階別操作盤のうちで前記エレベータを呼び出した階別操作盤とを判別し、前記エレベータの移動方向と移動速度とを調整するシステム制御部、および前記システム制御部の制御によって駆動され、前記エレベータを移動させる駆動部、を備える。
【００１７】
上記目的を達成するための複数個の階別操作盤はそれぞれ、前記複数の階のうちで前記内部操作盤で選択された階、および前記複数の階それぞれに配置された前記複数個の階別操作盤で前記エレベータを呼び出した階を表示する停止予定階表示部、上昇中の前記エレベータを呼び出すための上昇ボタン、下降中の前記エレベータを呼び出すための下降ボタン、および複数の階のうちで前記エレベータが現在位置している階を表示する現在階表示部を備えることを特徴とする。
【００１８】
上記目的を達成するための停止予定階表示部は、前記複数の階それぞれに対応して複数個備えられ、前記複数の階のうちで前記内部操作盤で選択階に対応して点灯される複数個の内部ランプ、および前記複数の階それぞれに対応して複数個備えられ、前記複数の階それぞれに配置された前記複数個の階別操作盤のうちで、前記エレベータを呼び出した階別操作盤が配置された階に対応して点灯される複数個の外部ランプ、を備えることを特徴とする。
【００１９】
上記目的を達成するための複数個の外部ランプは、前記利用者が移動しようとする目的階を選択できるようにボタンにより具現されることを特徴とする。
【００２０】
上記目的を達成するための複数個の階別操作盤はそれぞれ、前記現在階表示部の上部に配置され、前記エレベータの内部に設けられたカメラを介して獲得された映像イメージを表示する内部状況モニタ、およびお知らせ事項や広告を表示するお知らせ/広告モニタをさらに備えることを特徴とする。
【００２１】
上記目的を達成するための複数個の階別操作盤はそれぞれ、前記エレベータの移動方向に応じて前記内部状況モニタと前記お知らせ/広告モニタが、前記映像イメージ、および前記のお知らせ事項や広告とを相互に切り替えて表示することを特徴とする。
【００２２】
上記目的を達成するための内部操作盤は、前記複数の階それぞれに配置された前記複数個の階別操作盤で前記エレベータを呼び出した階を表示し、前記複数の階のうちで前記利用者が移動しようとする目的階を選択可能とする複数個の内部選択ボタンを備えた一つの停止予定階表示部、前記エレベータの移動方向を表示する上昇および下降ランプ、および複数の階のうちで前記エレベータが現在位置している階を表示する現在階表示部、を備えることを特徴とする。
【００２３】
上記目的を達成するための停止予定階表示部は、前記複数の階それぞれに対応して複数個備えられ、前記複数の階のうちで前記利用者が移動しようとする目的階を選ぶことができる複数個の内部選択ボタン、および前記複数の階それぞれに対応して複数個備えられ、前記複数の階それぞれに配置された前記複数個の階別操作盤のうちで、前記エレベータを呼び出した階別操作盤が配置された階に対応して点灯される複数個の外部ランプ、を備えることを特徴とする。
（発明を実施するための形態）
【００２４】
本発明と本発明の動作上の利点および本発明の実施により達成される目的を十分に理解するためには、本発明の好適な実施例を例示する添付図面及び添付図面に記載された内容を参照しなければならない。
【００２５】
以下、添付した図面を参照して本発明の好適な実施例を説明することにより、本発明を詳細に説明する。しかし、本発明は、様々な異なる様態で具現されることができ、説明する実施例に限定されない。そして、本発明を明確に説明するために、説明と関係ない部分は省略されており、図面の同じ参照符号は同じ部材であることを示す。
【００２６】
明細書全体では、ある部分がある構成要素を「含む」とするとき、これは特に断りのない限り、他の構成要素を除くのではなく、他の構成要素をさらに含むことができることを意味する。また、明細書に記載された「…部」、「…基」、「モジュール」、「ブロック」などの用語は、少なくとも一つの機能や動作を処理する単位を意味し、これは、ハードウェアやソフトウェア、或いはハードウェアおよびソフトウェアの組み合わせで具現することができる。
【００２７】
図１は、本発明に係るエレベータの操作状況認知システムの一例を示す。
【００２８】
図１を参照すると、本発明に係るエレベータの操作状況認知システム１０は、階別操作部１００、システム制御部２００、駆動部３００、および少なくとも一つのエレベータ４００を備える。階別操作部１００は、複数個の階別操作盤１０１〜１０ｎを含む。複数個の階別操作盤１０１〜１０ｎは、それぞれ複数の階で構成される建物において対応する階のエレベータ搭乗口の一側に配置され、各階のエレベータ４００に搭乗しようとする利用者は、エレベータ４００を呼び出すようにする。複数個の階別操作盤１０１〜１０ｎの数は、一般的には、建物の各階に１つずつ配置されるので、建物の階数と同じ数で備えられるが、最近では、大型高層ビルが多く、このような大型高層ビルには、利用者の数が増加した。また、建物内のすべてのエレベータ４００は、すべての階に停止するように設定すると、エレベータ４００の使用効率が悪くなる。それで、最近の大型高層ビルは、複数個のエレベータ４００を備え、それぞれのエレベータが停止する階を別々に設定している。したがって、複数個の階別操作盤１０１〜１０ｎの数は、各建物に設置されるエレベータシステムの運用形態に応じて変わることができる。
【００２９】
既存の複数個の階別操作盤は、単にエレベータの上昇方向の呼び出しボタンと下降方向の呼び出しボタン、および現在エレベータ４００がある階の数とエレベータ４００が上昇中であるか下降中であるかを知らせるエレベータの位置表示部しか備えていない。しかし、本発明のエレベータの操作状況認知システム１０における複数個の階別操作盤１０１〜１０ｎはそれぞれ、従来のエレベータシステムとは異なり、エレベータ４００が停止可能なすべての階に対する停止有無についての情報を利用者に提供することができる。したがって、利用者は、単にエレベータが上昇中であるか下降中であるかだけでなく、どの階にエレベータが停止するか、また、いくつかの階に停止するかについての正確な情報を獲得することができる。そして、このようなエレベータの停止情報を獲得した利用者は、自らの判断に従ってエレベータに搭乗するかどうかを決定することができる。たとえば、２０階以上の高層ビルにおいて、５階以下の低階でエレベータの搭乗を待っている利用者は、エレベータの現在位置がたとえ８階であっても、自分が搭乗を待っている階とエレベータの現在の階の間のすべての階にエレベータが停止すると予測された場合、エレベータを待つよりも階段を利用する可能性が高い。しかし、従来のエレベータの場合には、エレベータの現在位置のみが表示され、エレベータが停止する各階についての情報を提供しないため、利用者がエレベータの到着時間を予測することができなく、エレベータが到着することを待つだけであった。この後、エレベータの到着を待っていた利用者がエレベータが停止する階の数が多くなって初めてエレベータの搭乗を止めて、階段を利用した。結果として、利用者はエレベータ搭乗を待機することにより、時間を無駄にするようになり、エレベータは、利用者が搭乗しない階に不必要に停止することになり、なおさら移動速度が遅くなるようになった。
【００３０】
しかし、本発明に係るエレベータシステム１０は、各階に備えられた複数個の階別操作盤１０１〜１０ｎのそれぞれが、エレベータ４００が停止可能なすべての階に対する停止有無についての情報を利用者に提供できるようになるので、この利用者がエレベータ４００が到着するまでの時間を大まかに予測が可能となり、これによって、エレベータ４００に搭乗するかどうかを迅速に判断することができる。このような判断の結果として、利用者がエレベータに搭乗しないと判断し、階段を利用することになれば、時間を無駄にする必要がないだけでなく、エレベータ４００が停止する階の数か減少してエレベータの移動速度が速くなる。つまりエレベータ４００に搭乗しようとする利用者だけでなく、エレベータに搭乗している利用者の時間の消費も減らすことができる。また、エレベータが不必要に停止しないため、エレベータを駆動するための電力消費量を減らすことができる。
【００３１】
上記では、利用者が予測したエレベータ４００の到着予想時間に応じて搭乗するかどうかを決定することを説明したが、複数個の階別操作盤１０１〜１０ｎのそれぞれがエレベータが停止可能なすべての階についての情報を提供するため、エレベータ４００の到着時間だけでなく、利用者が搭乗した後、利用者が到着を希望する階、すなわち、目的階までの到着時間も予測することができる。たとえば、利用者が１０階から５階に移動するためにエレベータを待っている場合は、現在のエレベータが１３階に位置し、１１〜１３階の間に停止する階がなくても、利用者の搭乗階１０階と目的階５階との間のすべての階にエレベータが停止すると表示されている場合は、利用者は、エレベータに乗らない可能性が高い。このような判断は、利用者それぞれの状況によって異なるが、それにもかかわらず、本発明に係るエレベータの操作状況認知システムは、利用者が自分で自分の時間をいかに効果的に使用できるかについての判断根拠を提供するという点で有用である。例えば、時間が重要なユーサは、階段で移動することになり、時間的余裕のある利用者や身体が不自由な利用者は、エレベータを待つことになるであろう。つまり、利用者が時間をより重要視するか、利便性をより重要視するかによって、エレベータに搭乗するかどうかを自分で決めることができる。
【００３２】
複数個の階別操作盤１０１〜１０ｎの詳細な説明は、後述する。
【００３３】
システム制御部２００は、複数個の階別操作盤１０１〜１０ｎのそれぞれからエレベータの呼び出し信号を受信し、少なくとも一つのエレベータ４００のそれぞれの内部に備えられた内部操作盤４１０からのエレベータの操作信号を受信して、エレベータ４００の上昇、下降および停止を駆動部３００を介して制御する。すなわち、システム制御部２００は、複数個の階別操作盤１０１〜１０ｎと内部操作盤４１０で、利用者が入力した操作状態に応じて発生した信号を受信して分析し、エレベータ４００の移動方向と停止などのエレベータの動作を決定し、決定されたエレベータの動作を実行するために、駆動部３００を制御する。
【００３４】
駆動部３００は、システム制御部２００の制御により駆動される大型モータによって具現される。駆動部３００は、システム制御部２００から印加される駆動信号に従ってモータを一方向に回転したり、他の方向に回転したりしてエレベータ４００が上昇または下降されるようにするだけでなく、エレベータ４００を停止させる。
【００３５】
システム制御部２００は、単にエレベータ４００の上昇、下降および停止のみを調節するだけではなく、エレベータ４００に搭乗している利用者の便宜のために、エレベータの上昇および下降速度を調節する。すなわち、駆動部３００は、システム制御部２００の制御によりモータの回転速度が制御される。
【００３６】
エレベータ４００は、システム制御部２００により駆動される駆動部３００により建物内の各階の間を上昇または下降して移動する。そして、駆動部３００がエレベータ４００を指定された階に停止させると、エレベータのドア（図示せず）を駆動し、エレベータのドアを開閉する。そして、利用者が内部操作盤４１０に備えられた複数の階のボタンのうちで少なくとも一つのボタンを選択すると、選択された階についての情報をシステム制御部２００に転送し、システム制御部２００が駆動部３００を制御するようにする。
【００３７】
図２は、本発明の一例に係る階別操作盤を示す。
【００３８】
図２を参照すると、本発明による階別操作盤１０８、少なくとも１つの停止予定階表示部ＦＬＤ、内部状況モニタＩＣＭ、上昇ボタンＵＢと下降ボタンＤＢは、現在階表示部ＣＦＭおよびお知らせ/広告モニタＣＡＭを備える。図２では、一例として、４階に備えられた一つの階別操作盤１０８のみを示したが、上述したように、階別操作盤１０１〜１０ｎは、エレベータが停止可能なすべての階に設けられてもよい。
【００３９】
少なくとも一つの停止予定階表示部ＦＬＤは、それぞれ複数個の外部ランプＯＬと複数個の内部ランプＩＬとを備える。複数個の外部ランプＯＬと複数個の内部ランプＩＬとは、エレベータ４００が停止可能な階の数に対応する数で備えられる。そしてエレベータ４００が停止可能な階の数が多い場合には、停止予定階表示部ＦＬＤが複数備えられ、複数個の停止予定階表示部ＦＬＤを区別してそれぞれに対応する階を表示するようにする。図２では、２つの停止予定階表示部ＦＬＤが備えられた階別操作盤１０１の一例を示した。
【００４０】
図中左側の第１停止予定階表示部ＦＬＤ１は、地下４階Ｂ４から２４階まで合計２８つの階に停止可能なエレベータにおいて、地下４階Ｂ４から１０階までの停止予定階を表示し、右側の第２停止予定階表示部ＦＬＤ２は、１１階から２４階までの停止予定階を表示する。図２では、建物の階が地下４階Ｂ４から２４階までの合計２８階であり、エレベータは、建物のすべての階に停止可能なものと仮定する。したがって、エレベータが停止可能な２８階の各階別操作盤１０１〜１２８が備えられると仮定する。
【００４１】
また、停止予定階表示部ＦＬＤ１、ＦＬＤ２は、対応する複数の階のそれぞれで停止予定階を内部選択階と外部選択階に区分して表示する。ここで内部選択階とは、エレベータ４００内部の内部操作盤４１０で選択された階を意味し、外部選択階とは複数個の階別操作盤１０１〜１２８で選択された階を示す。
【００４２】
内部選択階は、エレベータ４００内部の内部操作盤４１０のみによって選択された階しか表示しないが、外部選択階は、複数個の階別操作盤１０１〜１２８のそれぞれでの選択をすべてまとめて表示される。
【００４３】
図２を参照すると、内部選択階は、６階、１５階および２１階が点灯されている。したがって、現在エレベータの搭乗者が選択した階は６階、１５階および２１階の３つの階である。しかし、外部の選択階は、２階、９階、１３階および２２階の４つの階が点灯されている。これは、複数個の階別操作盤１０１〜１２８のうちで４つの階別操作盤１０６、１１０、１１３、１１７、１２６は、利用者によって選択されており、２階、９階、１３階および２２階では、利用者がエレベータの搭乗を待っているという意味である。
【００４４】
上昇ボタンＵＢおよび下降ボタンＤＢは、それぞれに対応する階の利用者が現在階よりも上の階に移動しようとするか下降しようとするかを選択するボタンであり、従来のエレベータシステムでの階別操作部と同じ機能を実行する。また、現在エレベータが上昇中であるか下降中であるかを表示できるように、上昇ボタンＵＢと下降ボタンＤＢの内部には、ランプが備えられてもよい。そして、エレベータが移動可能な階のうちで最上階（図２では２４階）は、上昇ボタンＵＢが不要であるので、階別操作盤１２８は、下降ボタンＤＢだけを備えてもよい。また、エレベータが移動可能な階のうちで最下階（図２ではＢ４階）は、下降ボタンＤＢが不要であるので、階別操作盤１０１は上昇ボタンＵＢだけを備えてもよい。
【００４５】
現在階表示部ＣＦＭは、複数の階のうちでエレベータが現在位置している階を表示する。現在階表示部ＣＦＭは、単に現在の階だけを表示することもできるが、エレベータの移動方向を共に表示することもできる。すなわち、エレベータが上昇中であるか下降中であるかを共に表示することができる。現在階表示部ＣＦＭのエレベータの上昇と下降を表示できれば、上昇ボタンＵＢと下降ボタンＤＢは、別々に移動方向を表示する必要はない。
【００４６】
内部状況モニタＩＣＭとお知らせ/広告モニタＣＡＭとは、本発明の階別操作盤１０１に不可欠な要素ではなく、一種のオプション事項である。内部状況モニタＩＣＭは、エレベータの内部に設けられたカメラを介して獲得される映像イメージを表示するものであり、エレベータの内部で発生する可能性のある事故を外部に知らせるためのモニタである。そして、お知らせ/広告モニタＣＡＭは、エレベータ搭乗予定の利用者に知らせたいお知らせ事項や広告を表示する。
【００４７】
内部状況モニタＩＣＭとお知らせ/広告モニタＣＡＭとの位置は、互いに変更されてもよく、場合によっては、エレベータの移動方向に応じて、内部状況モニタＩＣＭとお知らせ/広告モニタＣＡＭが表示する内容を変更することもできる。例えば、エレベータが上昇している場合には、階別操作盤１０８の上部に配置された内部状況モニタＩＣＭにお知らせと広告が表示され、エレベータが下降している場合には、階別操作盤１０８の下部に配置されているお知らせ/広告モニタＣＡＭにお知らせおよび広告が表示されるように設定することができる。
【００４８】
図２の階別操作盤１０８は、現在停止予定階表示部ＦＬＤ１の外部選択階および内部選択階のいずれも選択されていない。したがって、現在４階にはエレベータに搭乗しようとする利用者がいないと判別することができる。しかし、新しい利用者が４階でエレベータに乗って１０階に移動しようとする場合に、エレベータの現在階表示部ＣＦＭが１階を表示している場合、利用者は、エレベータが２階から１回停止した後に４階に達すると予測することができ、４階で搭乗後６階と９階で停止した後、１０階に到着すると予測することができる。したがって、利用者は、それに伴う時間を予測して階段を利用するかエレベータを待つかを判別することができる。
【００４９】
図２では階別操作盤１０１〜１２８の停止予定階表示部ＦＬＤ１、ＦＬＤ２が内部操作盤４１０により選択された内部選択階と、複数個の階別操作盤１０１〜１２８で選択された外部の選択階とを区分して表示することで示したが、内部選択階と外側選択階とを区別せずに停止予定階を表示してもよい。
【００５０】
図３は、本発明の一例に係る内部操作盤を示す。
【００５１】
本発明のエレベータ４００の内部に配置される内部操作盤４１０は、従来の内部操作盤と同じ構成であってもよいが、エレベータに搭乗した利用者の便宜のために提供する構成である。
【００５２】
図３を参照すると、本発明による内部操作盤４１０は、図２の階別操作盤１０１〜１０ｎと類似な構成を有する。内部操作盤４１０、少なくとも１つの停止予定階選択表示部ＦＳＤ、内部状況モニタＩＣＭ、上昇ランプＵＬと下降ランプＤＬ、現在階表示部ＣＦＭ、およびお知らせ/広告モニタＣＡＭを備える。
【００５３】
図３における停止予定階選択表示部ＦＳＤ１、ＦＳＤ２も図２の停止予定階表示部ＦＬＤ１、ＦＬＤ２と同様に、エレベータの停止階の数が多いので、２つの第１及び第２の停止予定階選択表示部ＦＳＤ１、ＦＳＤ２に区分されている。また、停止予定階選択表示部ＦＳＤ１、ＦＳＤ２は、それぞれ複数個の外部ランプＯＬと複数個の内部選択ボタンＩＬＢとを備える。複数個の外部ランプＯＬは、図２の外部ランプＯＬと同じであるので、別に説明はしない。しかし、内部操作盤４１０は、エレベータの内部に搭乗した利用者が移動しようとする目的階を直接入力する必要があるため、図３の内部操作盤４１０は、図２の階別操作盤１０１〜１０ｎと異なり、内部ランプＩＬではなく、内部選択ボタンＩＬＢを備える。内部選択ボタンＩＬＢは、エレベータに搭乗した利用者が移動を希望する階を選択可能とするだけでなく、現在エレベータの内部で選択された階を表示できるようにする。このため、内部選択ボタンＩＬＢは、内部にランプを備えることができる。そして、図示しないが、場合によっては階別操作盤１０１〜１０ｎも外部ランプＯＬではなく、外部の選択ボタンＯＬＢを備えることができる。これは、利用者がエレベータの搭乗を待っている階で、即座に目的階を入力できるようにして、エレベータの移動時間をより正確に判断できるようにする。この際、入力される目的階は、複数個の階別操作盤のそれぞれの停止予定階表示部ＦＬＤ１、ＦＬＤ２で外部選択ボタンＯＬＢに表示されることができる。
【００５４】
現在階表示部ＣＦＭと内部状況モニタＩＣＭ、およびお知らせ/広告モニタＣＡＭは、図２の階別操作盤１０１〜１０ｎの現在階表示部ＣＦＭ、内部状況モニタＩＣＭ、およびお知らせ/広告モニタＣＡＭと同じであるので、別に説明はしない。
【００５５】
上昇ランプＵＬおよび下降ランプＤＬは、現在エレベータが上昇中であるか下降中であるかを表示するランプである。階別操作盤１０１〜１０ｎは、利用者が上昇するエレベータに搭乗するか、下降するエレベータに搭乗するかを上昇ボタンＵＢと下降ボタンＤＢを選択するので、ボタンの形で具現する必要があったが、エレベータの内部では、利用者が目的階に対応する内部選択ボタンＩＬＢを選択するため、上昇または下降ボタンＵＢ、ＤＢにより具現されなくてもよい。つまりエレベータ４００が上昇中であるか下降中であるか、表示できればよいので、図３では上昇ランプＵＬと下降ランプＤＬのようなランプにより具現されている。そして、もし現在階表示部ＣＦＭがエレベータの現在の階だけでなく、移動方向を表示する場合には、上昇ランプＵＬと下降ランプＤＬとを省くことができる。
【００５６】
さらに、図２の階別操作盤１０１〜１０ｎが内部ランプＩＬではなく、内部選択ボタンＩＬＢを備えている場合には、図３のように、上昇または下降のボタンＵＢ、ＤＢの代わりに上昇ランプＵＬと下降ランプＤＬを備えてもよい。
【００５７】
それで、本発明に係るエレベータの操作状況認知システムは、エレベータが停止可能な各階ごとに備えられる階別操作盤１０１〜１０ｎが単に上昇ボタンＵＢおよび下降ボタンＤＢと現在階表示部だけでなく、エレベータが停止すると予定されたすべての階が表示される停止予定階表示部ＦＬＤを備えているため、エレベータの搭乗を希望する利用者は、エレベータの到着時間および目的地の到着時間を予測し、エレベータに搭乗するかどうかを自分で素早く決定できるようにする。したがって、利用者は、時間の無駄遣いがなくなる。そして、エレベータも不必要に停止することがなくなるため、移動速度が速くなり、消費電力を低減することができる。
【００５８】
本発明は、図面に示された実施例を参考として説明されたが、これは例示に過ぎず、本技術分野の通常の知識を有する者であれば、それから多様な変形及び均等な他の実施例が可能であることを理解するはずである。
【００５９】
したがって、本発明の技術的保護範囲は、添付された登録請求の範囲の技術的思想により定められなければならない。
【図１】
2014532609.tif 000003
【図２】
2014532609.tif 000004
【図３】
2014532609.tif 000005
【国際調査報告】
2014532609.tif 000006
2014532609.tif 000007
2014532609.tif 000008
2014532609.tif 000009